(57)【要約】【課題】営業中（または診療中）か否かを極めて容易に把握させることが可能な情報掲載誌を提供する。【解決手段】情報掲載誌１は、業種別に区分けされた複数の業種別掲載領域２を有し、夫々の業種別掲載領域２に、各業種に属する掲載主の情報として、少なくとも、掲載主名６、定休日７、営業時間８、電話番号９、及び住所１０からなる掲載主情報１１を一覧で掲載する。また、広告主に関する掲載主情報１２と、広告主以外の者に関する掲載主情報１１とを、互いに異なる態様で掲載する。【選択図】図１
0003128893.tif 000002
【実用新案登録請求の範囲】
【請求項１】
業種別に区分けされた複数の業種別掲載領域を有し、夫々の業種別掲載領域に、各業種に属する掲載主の情報として、少なくとも、掲載主名、営業時間、電話番号、及び住所からなる掲載主情報が一覧で掲載されていることを特徴とする情報掲載誌。
【請求項２】
前記掲載主情報には、さらに前記掲載主の定休日に関する情報が含まれていることを特徴とする請求項１に記載の情報掲載誌。
【請求項３】
前記掲載主には、前記掲載主情報に加えて広告情報を掲載することが可能な広告主が含まれており、
該広告主に関する前記掲載主情報と、前記広告主以外の掲載主に関する前記掲載主情報とが、互いに異なった態様で掲載されていることを特徴とする請求項１または請求項２に記載の情報掲載誌。
【考案の詳細な説明】
【技術分野】
【０００１】
本考案は、情報掲載誌に関するものであり、特に、地域密着性の高い情報を提供する情報掲載誌に関するものである。
【背景技術】
【０００２】
従来から、情報掲載誌として、地域密着性のある飲食店、小売店、公共施設、及び病院等に関する各種情報（例えば、名称、住所、及び電話番号）を、業種別に区分けして掲載した電話広告帳が知られている。そして、消費者または利用者は、電話広告帳の中から一つまたは複数の掲載主を特定し、そこに掲載された住所を基に掲載主の店舗へ出向いたり、電話を掛けて取扱商品やサービス内容を問い合わせたりしている。また、子供等が急病となった際に、その治療を行うための医療機関を電話広告帳の中から探し出すことも行われている。
【０００３】
なお、上記の技術は、当業者において知られているものであり、本出願人は、本願出願時において、上記の技術が記載されている文献を知見していない。
【考案の開示】
【考案が解決しようとする課題】
【０００４】
しかし、消費者が電話広告帳の中から所望の掲載主を特定し、その場所に出向いても、営業時間が終了している場合、あるいは定休日である場合には、商品を購入したりサービスを受けたりすることができず、ひいては利用者に不便さを生じさせるとともに、掲載者に対して不信感を喚起させる虞もあった。
【０００５】
また、電話広告帳に掲載された住所を手がかりに、病院等の医療機関に駆けつけても、その病院の休診日または診療時間外である場合には、他の病院に移動するまで処置することができず、処置が遅れることも懸念されていた。
【０００６】
なお、電話広告帳には、掲載者の電話番号が掲載されているため、その電話番号を基に掲載者（例えば店舗）に電話を掛ければ、わざわざ出向かなくても、営業時間を把握することが可能になる。しかしながら、夫々の店舗に対して電話を掛けて確認するという手間は、比較的面倒であり、しかも電話料金も必要となる。特に、深夜など、殆どの店舗において営業が終了している状況下では、電話広告帳から営業中の店舗を探すのは至難の業である。
【０００７】
また、深夜等に子供が発病した際には、複数の医療機関に対し一件一件電話を掛けて確認するような余裕はなく、まして、医療機関の中には、電話を掛けても診療時間外である旨を通知しない場合も多いことから、長期にわたる電話の呼び出しによって治療が一層遅れ、深刻な状況に陥る虞もあった。
【０００８】
そこで、本考案は、上記の実状に鑑み、営業中（または診療中）か否かを極めて容易に把握させることが可能な情報掲載誌の提供を課題とするものである。
【課題を解決するための手段】
【０００９】
本考案にかかる情報掲載誌は、「業種別に区分けされた複数の業種別掲載領域を有し、夫々の業種別掲載領域に、各業種に属する掲載主の情報として、少なくとも、掲載主名、営業時間、電話番号、及び住所からなる掲載主情報が一覧で掲載されている」ことを特徴とする。
【００１０】
ここで、「営業時間」には、診療時間も含まれている。つまり、「営業時間」とは、掲載主が対応可能である時間帯を示すものであり、業種によってその呼び方が変化する場合もある。また、実際の営業時間よりも早い時間に受付を終了する場合には、受付時間を営業時間に代えて、あるいは営業時間とともに掲載するようにしてもよい。また、「掲載主の業種」としては、飲食店、小売店、公共施設、及び病院等を例示することができる。なお、飲食店や小売店を対象とする場合には、商品や飲食物の種類に応じて、業種別掲載領域をさらに細分化するようにしてもよい。
【００１１】
本考案によれば、掲載主情報の中に、掲載主に関する名称、電話番号、及び住所に加え、掲載主の営業時間が含まれている。このため、掲載主の所（例えば店舗）へ出向いたり電話を掛けたりしなくても、速やかに営業時間を把握することが可能となる。したがって、利用者の利便性を高めるとともに、掲載者に対しての信頼を高めることが可能になる。
【００１２】
また、本考案の情報掲載誌において、「前記掲載主情報には、さらに前記掲載主の定休日に関する情報が含まれている」ことを特徴とする。
【００１３】
ここで、「定休日」には、休診日も含まれている。つまり、「定休日」とは、掲載主が対応できない日にち、または曜日を示すものであり、業種によってその呼び方が変化する場合もある。
【００１４】
これによれば、営業時間に加えて定休日に関する情報も掲載されるため、定休日にも拘らず掲載主の所へ出向いたりすることを防止できる。また、利用者は、予め定休日を把握することにより、定休日を外して出向くことが可能になり、例えば定休日であったために他の店舗で用事を済ませるようなことが少なくなる。
【００１５】
さらに、本考案の情報掲載誌において、「前記掲載主には、前記掲載主情報に加えて広告情報を掲載することが可能な広告主が含まれており、
該広告主に関する前記掲載主情報と、前記広告主以外の掲載主に関する前記掲載主情報とが、互いに異なった態様で掲載されている」構成を採用してもよい。
【００１６】
ここで、「広告情報」としては、取扱商品やサービスの情報、営業のコメント、またはセールスポイント等を例示することができる。
【００１７】
また、「互いに異なった態様」としては、掲載する文字の大きさを異ならせること、文字の色または背景の色を異ならせること、掲載される位置を異ならせること、または、網掛けや囲み線を入れること等、を例示することができる。
【００１８】
さらに、「広告情報」は、夫々の掲載主情報と同じ欄に（例えば掲載主情報の上側や下側に）掲載するようにしてもよく、掲載主情報から離れた別の欄に掲載するようにしてもよい。
【００１９】
これによれば、広告主に関する掲載主情報と、広告主以外の者に関する掲載主情報とが互いに異なった態様で掲載されているため、広告主であることを容易に認識させるとともに、同業者の中から広告主の情報を注目させることが可能になり、ひいては広告主としての宣伝効果を高めることが可能になる。
【考案の効果】
【００２０】
このように、本考案の情報掲載誌では、営業時間を速やかに把握させることが可能となり、利用者の利便性を高めるとともに、掲載者に対しての信頼を高めることができる。
【考案を実施するための最良の形態】
【００２１】
以下、本考案の一実施形態である情報掲載誌について、図１及び図２に基づき説明する。図１及び図２は情報掲載誌の一例を示す説明図である。情報掲載誌１は、例えばＡ４用紙の紙に印刷された広告紙を冊子にしたものであり、関連する地域に存在する全戸に対して無料で配布されるものである。
【００２２】
図１に示すように、情報掲載誌１は、複数の業種別掲載領域２に区画されて構成されている。なお、図１は「酒屋さん」に関する業種別掲載領域２を示したものであり、図２は「病院・医院」に関する業種別掲載領域２を示したものである。夫々の業種別掲載領域２は、さらに上部側に配分された掲載主情報開示欄３と、下部側に配分された広告情報開示欄４とに大別されており、掲載主情報開示欄３には、掲載主に関する掲載主情報１１が一覧で掲載されている。ここで、掲載主としては、飲食店、小売店、及び病院等、さらには、利用者の生活に必要な団体、例えば、官公署，役場，警察，消防署，保健所，裁判所，法務局，ハローワーク，免許証やパスポートの発行所，学校，幼稚園，塾，図書館，職業訓練校，鉄道・バス・タクシー等の交通機関，電力会社，ガス会社，水道会社等を挙げることができる。すなわち、地域に営業拠点や事業拠点が存在し、その地域に対して係りが深い団体が挙げられ、これらの団体、企業、店舗等が掲載主となることにより、地域密着性の高い情報を提供することが可能になる。
【００２３】
掲載主情報１１には、掲載主名６（例えば商店名や病院名）と、掲載主に関連する定休日７と、営業時間８と、電話番号９と、住所１０とが含まれている。なお、図２に示すように、「病院・医院」に関する業種別掲載領域２では、定休日７を休診日１４と記載し、営業時間８を診療時間１５と記載している。また、図示していないが、図書館等の公共施設に関する業種別掲載領域では、定休日７を休館日と記載し、営業時間８を開館時間と記載している。
【００２４】
また、定休日７（休診日１４等を含む）に関しては、「曜日」または「日にち」で表示され、定休日がない場合には、「年中無休」等と表示される。また、営業時間８（診療時間１５等を含む）に関しては、基本的に（営業開始時間）〜（営業終了時間）の形式で表示されるが、営業時間と受付時間とが異なっている場合には、受付時間も表示されるようになっている。
【００２５】
ところで、掲載主には、広告情報を付加して掲載することが可能な広告主が含まれており、本例では、広告主に対しては掲載料が有料となり、広告主以外の掲載主（一般の掲載主）は掲載料が無料となるように設定されている。そして、広告主に関する掲載主情報１２は、一般の掲載主情報１１とは異なった態様で表示されており、具体的には、文字の大きさが大きく、背景に着色がなられて表示されている。また、広告主情報１２の上側または下側には、取扱商品またはコメント等の広告情報を掲載可能な付記欄１３が設けられており、掲載主情報１２以外の広告情報を提供することも可能である。さらに、広告主に関しては、電話番号の他にファクシミリの番号も掲載可能となっている。
【００２６】
一方、広告情報開示欄４は、所謂広告枠であり、広告主の場所を示す地図や、事業内容・取扱商品等の広告情報を掲載することが可能である。つまり、比較的広いスペースが確保されており、詳細な広告情報を掲載することが可能となっている。なお、業種別掲載領域２に掲載される広告主の数と広告情報開示欄４におけるコマ数とは必ずしも一致しておらず、広告情報開示欄４に広告情報を掲載することなく、広告主用の掲載主情報１２を掲載することも可能である。
【００２７】
このように、本実施形態の情報掲載誌１によれば、夫々の業種別掲載領域２に掲載された掲載主情報１１，１２の中には、掲載主に関する営業時間８が含まれているため、掲載主のところへ出向いたり電話を掛けたりしなくても、速やかに営業時間を把握することができる。したがって、利用者の利便性を高めるばかりでなく、掲載者に対しての信頼も高めることができる。特に、医療機関が掲載主となった場合には、治療が可能な医療機関を速やかに把握させることができ、早期の処置によって事態の悪化を抑制することができる。また、掲載主情報開示欄３には、定休日７に関する情報も掲載されるため、定休日にも拘らず掲載主のところへ出向いたりすることを防止できる。また、利用者は、予め定休日を把握することにより、定休日を外して出向くことが可能になり、定休日であったために他の店舗で用事を済ませるようなことが少なくなる。したがって、その掲載主に対しての信頼性向上とともに、売上の増加も期待することができる。
【００２８】
さらに、本実施形態の情報掲載誌１によれば、広告主に関する掲載主情報１２と、広告主以外の者に関する掲載主情報１１とが互いに異なった態様で掲載されているため、広告主であることを容易に認識させるとともに、同業者の中から広告主の情報を注目させることが可能になり、ひいては広告主としての宣伝効果を期待させることができる。換言すれば、広告主になることに対しての魅力を高め、広告主を容易に募ることが可能になる。
【００２９】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００３０】
すなわち、上記の情報掲載誌１では、広告主情報１２として、掲載主名６、定休日７、営業時間８、電話番号９、及び住所１０を掲載するものを示したが、定休日７を省くようにしてもよい。また、定休日７の代りに営業日を掲載するようにしてもよい。さらに、掲載者に関するその他の情報、例えば、取扱商品、サービス内容、価格、メールアドレス、及びＵＲＬ（Uniform Resource Locator）等を、掲載主情報１１として掲載させるようにしてもよい。
【図面の簡単な説明】
【００３１】
【図１】本考案の情報掲載誌の一例を示す説明図である。
【図２】本考案の情報掲載誌の一例を示す説明図である。
【符号の説明】
【００３２】
１  情報掲載誌
２  業種別掲載領域
６  掲載主名
７  定休日
８  営業時間
９  電話番号
１０  住所
１１  掲載主情報
１２  広告主情報
１４  休診日（定休日）
１５  診療時間（営業時間）
【図１】
0003128893.tif 000003
【図２】
0003128893.tif 000004
【手続補正書】
【提出日】平成18年8月4日(2006.8.4)
【手続補正１】
【補正対象書類名】実用新案登録請求の範囲
【補正対象項目名】全文
【補正方法】変更
【補正の内容】
【実用新案登録請求の範囲】
【請求項１】
業種別に区分けされた複数の業種別掲載領域を有し、夫々の前記業種別掲載領域に、各業種に属する個々の掲載主の情報として、少なくとも、掲載主名、営業時間、電話番号、及び住所からなる掲載主情報が横一列で掲載され、前記掲載主名を左端として、該掲載主名の右側に前記営業時間が位置し、該営業時間の右側に前記電話番号及び前記住所が位置するように一覧が構成されていることを特徴とする情報掲載誌。
【請求項２】
前記掲載主情報には、さらに前記掲載主の定休日に関する情報が含まれ、該定休日に関する情報は、前記営業時間の隣位置に掲載されていることを特徴とする請求項１に記載の情報掲載誌。
【請求項３】
前記掲載主には、前記掲載主情報に加えて広告情報を掲載することが可能な広告主が含まれており、
該広告主に関する前記掲載主情報と、前記広告主以外の掲載主に関する前記掲載主情報とが、互いに異なった態様で掲載されていることを特徴とする請求項１または請求項２に記載の情報掲載誌。
【手続補正２】
【補正対象書類名】明細書
【補正対象項目名】０００９
【補正方法】変更
【補正の内容】
【０００９】
本考案にかかる情報掲載誌は、「業種別に区分けされた複数の業種別掲載領域を有し、夫々の前記業種別掲載領域に、各業種に属する個々の掲載主の情報として、少なくとも、掲載主名、営業時間、電話番号、及び住所からなる掲載主情報が横一列で掲載され、前記掲載主名を左端として、該掲載主名の右側に前記営業時間が位置し、該営業時間の右側に前記電話番号及び前記住所が位置するように一覧が構成されている」ことを特徴とする。
【手続補正３】
【補正対象書類名】明細書
【補正対象項目名】００１２
【補正方法】変更
【補正の内容】
【００１２】
また、本考案の情報掲載誌において、「前記掲載主情報には、さらに前記掲載主の定休日に関する情報が含まれ、該定休日に関する情報は、前記営業時間の隣位置に掲載されている」ことを特徴とする。